(57)【要約】【課題】室内を床放射および送風の両方で冷暖房すると共に、冷房時における結露の発生を阻止して冷房効率を上げる冷暖房システムを提供する。【解決手段】一方のヒートポンプ室外機１に熱交換機４を連結し、該熱交換機４により生成された冷（温）水を、床下の冷温水配管１２に送水して、床パネル１９を冷却（加温）すると共に、他方のヒートポンプ室外機２に床下取付け型空調室内機２２および床置き型空調室内機２６を連結して、室内１８を床放射および送風の両方で冷暖房できるようにし、更に結露の発生を阻止する結露防止システムを設置する。【選択図】図１
2013139949.tif 000002
【特許請求の範囲】
【請求項１】
一方のヒートポンプ室外機の冷媒配管系統に冷温水を生成する冷媒対水の熱交換機を連結し、該熱交換機により生成された冷（温）水を、床下に屈曲して配設された冷温水配管に送水して、床パネルを冷却（加温）すると共に、他方のヒートポンプ室外機の冷媒配管系統に床下取付け型空調室内機および床置き型空調室内機を連結して、前記各空調室内機からの冷（温）風を床下に送風して、床パネルを冷却（加温）して、床放射により室内を冷（暖）房する床放射冷暖房装置と、前記冷温水配管に送水された冷（温）水および床下取付け型空調室内機および床置き型空調室内機からの冷（温）風により、冷却（加温）された床下の空気を前記床パネルに開口された吹き出し口から冷（温）風として室内に送風して室内を冷（暖）房する送風冷暖房装置とにより形成され、更に前記床放射冷暖房装置に、床温度制御システム、水温制御システムおよび露点制御システムの３つの制御システムより成る結露防止システムが設置され、且つ該結露防止システムによる制御と、前記床下取付け型空調室内機および床置き型空調室内機により除湿された空気の床下への送風とにより結露を防止するようにしたことを特徴とする冷暖房システム。
【請求項２】
一方のヒートポンプ室外機の冷媒配管系統に冷温水を生成する冷媒対水の熱交換機を連結し、該熱交換機により生成された冷（温）水を、床下に屈曲して配設された冷温水配管に送水して、床パネルを冷却（加温）すると共に、他方のヒートポンプ室外機の冷媒配管系統に床下取付け型空調室内機を連結して、前記空調室内機からの冷（温）風を床下に送風して、床パネルを冷却（加温）して、床放射により室内を冷（暖）房する床放射冷暖房装置と、前記冷温水配管に送水された冷（温）水および床下取付け型空調室内機からの冷（温）風により、冷却（加温）された床下の空気を前記床パネルに開口された吹き出し口から冷（温）風として室内に送風して室内を冷（暖）房する送風冷暖房装置とにより形成され、更に前記床放射冷暖房装置に、床温度制御システム、水温制御システムおよび露点制御システムの３つの制御システムより成る結露防止システムが設置され、且つ該結露防止システムによる制御と、前記床下取付け型空調室内機により除湿された空気の床下への送風とにより結露を防止するようにしたことを特徴とする冷暖房システム。
【請求項３】
一方のヒートポンプ室外機の冷媒配管系統に冷温水を生成する冷媒対水の熱交換機を連結し、該熱交換機により生成された冷（温）水を、床下に屈曲して配設された冷温水配管に送水して、床パネルを冷却（加温）すると共に、他方のヒートポンプ室外機の冷媒配管系統に床置き型空調室内機を連結して、前記空調室内機からの冷（温）風を床下に送風して、床パネルを冷却（加温）して、床放射により室内を冷（暖）房する床放射冷暖房装置と、前記冷温水配管に送水された冷（温）水および床下取付け型空調室内機および床置き型空調室内機からの冷（温）風により、冷却（加温）された床下の空気を前記床パネルに開口された吹き出し口から冷（温）風として室内に送風して室内を冷（暖）房する送風冷暖房装置とにより形成され、更に前記床放射冷暖房装置に、床温度制御システム、水温制御システムおよび露点制御システムの３つの制御システムより成る結露防止システムが設置され、且つ該結露防止システムによる制御と、前記床置き型空調室内機により除湿された空気の床下への送風とにより結露を防止するようにしたことを特徴とする冷暖房システム。
【発明の詳細な説明】
【技術分野】
【０００１】
本発明は、２台のヒートポンプ室外機を使用し、その一方のヒートポンプ室外機の冷媒配管系統に冷温水を生成する冷媒対水の熱交換機を連結し、該熱交換機により生成された冷（温）水を、床下に屈曲して配設された冷温水配管に送水して、床パネルを冷却（加温）すると共に、他方のヒートポンプ室外機の冷媒配管系統に床下取付け型空調室内機および／または床置き型空調室内機を連結して、前記空調室内機からの冷（温）風を床下に送風して、床パネルを冷却（加温）して、床放射により室内を冷（暖）房する一方、更に前記冷温水配管に送水された冷（温）水および前記空調室内機からの冷（温）風により、冷却（加温）された床下の空気を前記床パネルに開口された吹き出し口から冷（温）風として室内に送風して、室内を床放射および送風の両方で冷暖房して冷暖房効果を上げることができ、合わせて冷房時における結露の発生を阻止して更に冷房効率を上げることができるコンパクトな冷暖房システムを提供しようとするものである。
【背景技術】
【０００２】
従来実用に供されている冷温水式床冷暖房システムは、冷温水を製造する冷温水製造機器（チラー）、室内の結露を防止するための空調機器および放射熱を生成する放射機器の３つの機器が独立した製品として存在し、更に、前記３つの機器を最適に運転する自動制御システムの４つの機器を組み合わせてシステム設計を行う必要があった。
【０００３】
また、冷温水製造機器と空調機器を使用した冷温水床冷暖房装置に関し、過去の特許文献を遡及検索したところ、下記特許文献を発見した。
【先行技術文献】
【特許文献】
【０００４】
【特許文献１】特開平６−２６５１８０号公報
【発明の概要】
【発明が解決しようとする課題】
【０００５】
前記、従来実用に供されている冷温水式床冷暖房システムは、冷温水製造機器、大口径配管、大型水対水熱交換器、膨張タンク、大口径ポンプ、三方向電動弁等の他に、空調機（冷温水コイル搭載のエアーハドリングユニット）が必要となるので、設備が大型化してしまい、そのため前記従来の冷温水式床冷暖房システムを、小規模なエリア（例えば、最少２０ｍ２程度）に導入すべく、前記４つの機器を組み合わせたシステム設計を行った場合でも、適用できる小型の冷温水式床冷暖房システムは存在しなかった。
【０００６】
更に、前記特許文献１記載の床冷暖房装置は、１台の冷温水発生機器（熱源装置）が、空調機器と床冷温水供給装置とに連結されているため、冷温水発生機器の負担が過大となり、充分な冷暖房効果を得ることが困難な場合が多く、また故障が多く発生するという課題があった。また、前記特許文献１記載の床冷暖房装置においては、冷房時における結露の発生を、空調機器で除湿することによりある程度阻止することができるが、それだけでは充分とはいえず、そのため冷房時に床パネルおよび床下に結露が生じて、冷房効率が悪くなるという課題があった。
【０００７】
本発明は、前記課題を解決すべくなされたものであって、２台のヒートポンプ室外機を使用し、その一方のヒートポンプ室外機の冷媒配管系統に冷温水を生成する冷媒対水の熱交換機を接続し、該熱交換機により生成された冷（温）水を、床下に屈曲して配設された冷温水配管に送水して、床パネルを冷却（加温）すると共に、他方のヒートポンプ室外機の冷媒配管系統に床下取付け型空調室内機および／または床置き型空調室内機を連結して、該空調室内機からの冷（温）風を床下に送風して、床パネルを冷却（加温）して、床放射により室内を冷（暖）房する一方、更に前記冷温水配管に送水された冷（温）水および床下取付け型空調室内機および／または床置き型空調室内機からの冷（温）風により冷却（加温）された床下の空気を、前記床パネルに開口された吹き出し口から冷（温）風として室内に送風して、室内を床放射および送風の両方で冷暖房することができる冷暖房システムであって、冷房時における結露の発生を阻止して更に冷房効率を上げることができる上に、従来のような大型熱交換機、大口経配管および冷温水コイル搭載のエアーハンドリングユニットが不要で、小規模なエリアにも導入することができるコンパクトな冷暖房システムを提供しようとするものである。
【課題を解決するための手段】
【０００８】
本発明は、一方のヒートポンプ室外機の冷媒配管系統に冷温水を生成する冷媒対水の熱交換機を連結し、該熱交換機により生成された冷（温）水を、床下に屈曲して配設された冷温水配管に送水して、床パネルを冷却（加温）すると共に、他方のヒートポンプ室外機の冷媒配管系統に床下取付け型空調室内機および床置き型空調室内機を連結して、前記各空調室内機からの冷（温）風を床下に送風して、床パネルを冷却（加温）して、床放射により室内を冷（暖）房する床放射冷暖房装置と、前記冷温水配管に送水された冷（温）水および床下取付け型空調室内機および床置き型空調室内機からの冷（温）風により、冷却（加温）された床下の空気を前記床パネルに開口された吹き出し口から冷（温）風として室内に送風して室内を冷（暖）房する送風冷暖房装置とにより形成され、更に前記床放射冷暖房装置に、床温度制御システム、水温制御システムおよび露点制御システムの３つの制御システムより成る結露防止システムが設置され、且つ該結露防止システムによる制御と、前記床下取付け型空調室内機および床置き型空調室内機により除湿された空気の床下への送風とにより結露を防止するという手段、または、
一方のヒートポンプ室外機の冷媒配管系統に冷温水を生成する冷媒対水の熱交換機を連結し、該熱交換機により生成された冷（温）水を、床下に屈曲して配設された冷温水配管に送水して、床パネルを冷却（加温）すると共に、他方のヒートポンプ室外機の冷媒配管系統に床下取付け型空調室内機を連結して、前記空調室内機からの冷（温）風を床下に送風して、床パネルを冷却（加温）して、床放射により室内を冷（暖）房する床放射冷暖房装置と、前記冷温水配管に送水された冷（温）水および床下取付け型空調室内機からの冷（温）風により、冷却（加温）された床下の空気を前記床パネルに開口された吹き出し口から冷（温）風として室内に送風して室内を冷（暖）房する送風冷暖房装置とにより形成され、更に前記床放射冷暖房装置に、床温度制御システム、水温制御システムおよび露点制御システムの３つの制御システムより成る結露防止システムが設置され、且つ該結露防止システムによる制御と、前記床下取付け型空調室内機により除湿された空気の床下への送風とにより結露を防止するという手段、あるいは、
一方のヒートポンプ室外機の冷媒配管系統に冷温水を生成する冷媒対水の熱交換機を連結し、該熱交換機により生成された冷（温）水を、床下に屈曲して配設された冷温水配管に送水して、床パネルを冷却（加温）すると共に、他方のヒートポンプ室外機の冷媒配管系統に床置き型空調室内機を連結して、前記空調室内機からの冷（温）風を床下に送風して、床パネルを冷却（加温）して、床放射により室内を冷（暖）房する床放射冷暖房装置と、前記冷温水配管に送水された冷（温）水および床下取付け型空調室内機および床置き型空調室内機からの冷（温）風により、冷却（加温）された床下の空気を前記床パネルに開口された吹き出し口から冷（温）風として室内に送風して室内を冷（暖）房する送風冷暖房装置とにより形成され、更に前記床放射冷暖房装置に、床温度制御システム、水温制御システムおよび露点制御システムの３つの制御システムより成る結露防止システムが設置され、且つ該結露防止システムによる制御と、前記床置き型空調室内機により除湿された空気の床下への送風とにより結露を防止するという手段、
のいずれかを採用することにより、上記課題を解決した。
【発明の効果】
【０００９】
請求項1記載の発明によれば、一方のヒートポンプ室外機の冷媒配管系統に冷温水を生成する冷媒対水の熱交換機を連結し、該熱交換機により生成された冷（温）水を、床下に屈曲して配設された冷温水配管に送水して、床パネルを冷却（加温）すると共に、他方のヒートポンプ室外機の冷媒配管系統に床下取付け型空調室内機および床置き型空調室内機を連結して、前記各空調室内機からの冷（温）風を床下に送風して、床パネルを冷却（加温）して、床放射により室内を冷（暖）房する一方、更に前記冷温水配管に送水された冷（温）水および床下取付け型空調室内機および床置き型空調室内機からの冷（温）風により、冷却（加温）された床下の空気を前記床パネルに開口された吹き出し口から冷（温）風として室内に送風することにより、室内を床放射および送風の両方の冷暖房方法により冷暖房することができるので、冷暖房効率において優れた冷暖房システムを提供でき、然も冷房時における結露の発生を阻止する手段を備えているため、更に冷房効率を上げることができる冷暖房システムを提供することができる。また更に、従来のような大型熱交換機、大口径配管および冷温水コイル搭載のエアーハンドリングユニットが不要で、小規模なエリアにも導入することができる冷暖房システムを提供することができる。
【００１０】
また、請求項２記載の発明によれば、一方のヒートポンプ室外機の冷媒配管系統に冷温水を生成する冷媒対水の熱交換機を連結し、該熱交換機により生成された冷（温）水を、床下に屈曲して配設された冷温水配管に送水して、床パネルを冷却（加温）すると共に、他方のヒートポンプ室外機の冷媒配管系統に床下取付け型空調室内機を連結して、前記空調室内機からの冷（温）風を床下に送風して、床パネルを冷却（加温）して、床放射により室内を冷（暖）房する一方、更に前記冷温水配管に送水された冷（温）水および床下取付け型空調室内機からの冷（温）風により、冷却（加温）された床下の空気を前記床パネルに開口された吹き出し口から冷（温）風として室内に送風することにより、室内を床放射および送風の両方の冷暖房方法により冷暖房することができるので、冷暖房効率において優れた冷暖房システムを提供でき、然も冷房時における結露の発生を阻止する手段を備えているため、更に冷房効率を上げることができる冷暖房システムを提供することができる。また更に、従来のような大型熱交換機、大口径配管および冷温水コイル搭載のエアーハンドリングユニットが不要で、小規模なエリアにも導入することができる冷暖房システムを提供することができる。
【００１１】
更に、請求項３記載の発明によれば、一方のヒートポンプ室外機の冷媒配管系統に冷温水を生成する冷媒対水の熱交換機を連結し、該熱交換機により生成された冷（温）水を、床下に屈曲して配設された冷温水配管に送水して、床パネルを冷却（加温）すると共に、他方のヒートポンプ室外機の冷媒配管系統に床置き型空調室内機を連結して、前記空調室内機からの冷（温）風を床下に送風して、床パネルを冷却（加温）して、床放射により室内を冷（暖）房する一方、更に前記冷温水配管に送水された冷（温）水および床置き型空調室内機からの冷（温）風により、冷却（加温）された床下の空気を前記床パネルに開口された吹き出し口から冷（温）風として室内に送風することにより、室内を床放射および送風の両方の冷暖房方法により冷暖房することができるので、冷暖房効率において優れた冷暖房システムを提供でき、然も冷房時における結露の発生を阻止する手段を備えているため、更に冷房効率を上げることができる冷暖房システムを提供することができる。また更に、従来のような大型熱交換機、大口径配管および冷温水コイル搭載のエアーハンドリングユニットが不要で、小規模なエリアにも導入することができる冷暖房システムを提供することができる。
【図面の簡単な説明】
【００１２】
【図１】本発明冷暖房システムの実施例１の全体を一部を切り欠いて示す概略斜視図である。
【図２】本発明冷暖房システムの実施例１における床放射冷暖房装置を構成する熱交換機およびヘッダー部を示す概略正面図である。
【図３】本発明冷暖房システムの実施例１における結露制御システムの説明図である。
【図４】本発明冷暖房システムの実施例２の全体を一部を切り欠いて示す概略斜視図である。
【図５】本発明冷暖房システムの実施例３の全体を一部を切り欠いて示す概略斜視図である。
【実施例１】
【００１３】
本発明の実施例１に係る冷暖房システムを図面に基づき詳細に説明する。本発明の実施例１に係る冷暖房システムは、図１に示すように、屋外に２台のヒートポンプ室外機を設置すると共に、該一方のヒートポンプ室外機からの冷媒往き配管の下流側に、冷媒対水の熱交換器を連結して、該熱交換機の２次側にヘッダーおよび冷温水配管を介して床パネルへ冷（温）水を供給して、床放射により室内を冷（暖）房する床放射冷暖房装置と、前記他方のヒートポンプ室外機の冷媒往き配管の下流側に、室内に冷（温）風を送風する床下取付け型空調室内機および床置き型空調室内機を連結して、床下空間に冷（温）風を送風して床パネルを下方より冷（暖）房すると共に、前記床パネルに開口された吹き出し口より冷（温）風を室内に送風して、冷（暖）房する送風冷暖房装置とより成る床冷暖房システムである。以下、本発明システムにつき詳細に説明する。
【００１４】
本発明床冷暖房システムを構成する床放射冷暖房装置Ａおよび送風冷暖房装置Ｂは、小容量のヒートポンプ室外機１・２を使用するが、これらは、いずれも冷媒を使用するタイプの室外機である。そして、一方のヒートポンプ室外機１に上流側を連結した冷媒往き配管３の下流側が、冷媒対水の熱交換機４の上方に位置する冷媒流入口５に連結されると共に、前記熱交換機４の下方に位置する冷媒還流口６に上流側を連結した冷媒還り配管７の下流側が、前記一方のヒートポンプ室外機１に連結されている。
【００１５】
なお、前記冷媒対水の熱交換機４はビルや工場等の大規模施設で使用されている大型熱交換機ではなく、小型の熱交換機として現在汎用されている「冷媒用プレート型熱交換機」であれば、いずれも本発明システムに採用することができる。そして、特に限定する必要はないが、好ましくは、「株式会社鷺宮製作所」の製造に係り、商品名「ブレージングプレート式熱交換機」として販売されている「冷媒用プレート型熱交換機」を使用することが推奨される。
【００１６】
前記熱交換機４において、冷媒往き配管３の冷媒注入口５の上流側には、電子膨張弁８が設置されている。前記電子膨張弁８は、予め制御基板（後述）に設定されている水温や室温に達したときに、該制御基板よりの指令信号により、開閉弁を開閉して、冷媒の前記熱交換機４への送液を停止したり、または再開する機能を有するものである。
【００１７】
そして、前記熱交換機４の２次側の下方には、該熱交換機４内に注入口９から水を注水する往き送水管１０の下流側が連結されると共に、該往き送水管１０の上流側に往きヘッダー１１が連結固定され、更に、前記往きヘッダー１１には複数本の冷温水供給管１２の下流側がそれぞれ間隔を有して開口連通されると共に、前記往きヘッダー１１の上流側には膨張タンク１３が設置されている。
【００１８】
前記膨張タンク１３は、前記往きヘッダー１１に水を供給するための水を貯水する水タンクの役目を果すと共に、後述する温水の生成時に水の温度が上昇して膨張するのを防止するため、空気を逃がす逃し弁の作用、すなわち安全弁の作用をも有している。なお、図２において、１４は、往き送水管１０に設置された循環ポンプで、該循環ポンプ１４により強制的に水を前記熱交換機４内に注入口９から水を注水することができるよう形成されている。
【００１９】
また、前記熱交換機４の２次側の上方には、該熱交換機４により生成された冷（温）水を還りヘッダー１５に送水する還り送水管１６の上流側が送水口１７に連結されると共に、該還り送水管１６の下流側は前記還りヘッダー１５に連結されている。また、図２においては、循環ポンプ１４は、往き送水管１０に設置されているが、前記還り送水管１６に設置してもよい。
【００２０】
そして、前記往きヘッダー１１に下流側を開口連通された複数本の冷温水供給管１２は、室内１８の床パネル１９の下面に、該床パネル１９を冷却、または加温するために屈曲して敷設されると共に、前記複数本の冷温水供給管１２の上流側が前記還りヘッダー１５に開口連結されている。
【００２１】
前記熱交換機３で生成された冷水、または温水は、往き送水管１０に設置された循環ポンプ１４により、強制的に前記還りヘッダー１５から複数本の屈曲して敷設された冷温水供給管１２に送水されて、床パネル１９の下面において、該冷温水供給管１２内に送水された後、前記往きヘッダー１１に流れ込んで、往き送水管９から熱交換機３に送水されて、再び冷水、または温水が生成され、還りヘッダー１５に流れ込み、再度前記複数本の冷温水供給管１２に送水されて、床パネル１９を冷却、または加温するという循環動作を繰返して、床放射により室内１８を冷暖房する床放射冷暖房装置Ａが形成されている。
【００２２】
なお、前記床パネル１９に配設される冷温水供給管１２の設置方法やその構造については、特に限定する必要はないが、好ましくは、本発明出願人の出願に係る特開平６−２６５１８０号に開示されたものを使用することが推奨される。
【００２３】
前記構成より成る床放射冷暖房装置Ａにおける熱交換機３による冷水、または温水の生成メカニズムは、先ず、冷房時においては、一方のヒートポンプ室外機１で圧縮凝縮され、吐出されてくる冷媒は液状をなしており、冷媒往き配管３と熱交換機４との間に設置された電子膨張弁８に流入した後、前記熱交換機４で蒸発して気体（ガス状）となり、その蒸発潜熱で、該熱交換機４の水側を循環する水を冷却し、該冷却された水は還り送水管１６および還りヘッダー１５を経て冷温水供給管１２に流れ込んで循環し床パネル１９を冷却する。一方、前記気体となった冷媒は、冷媒還り配管７を通って前記一方のヒートポンプ室外機１に戻り、以下同様の動作を繰返して冷水を生成して、床パネル１９を冷却し、床放射により室内１８を冷房する。
【００２４】
次に、暖房時においては、一方のヒートポンプ室外機１で圧縮されて高温高圧となったガスは、前記熱交換機４で凝縮されて液体となり、その凝縮潜熱により、前記熱交換機４の水側を循環する水を加温し、該加温された水は還り送水管１６および還りヘッダー１５を経て冷温水供給管１２に流れ込んで循環し、床パネル１９を加温する。一方、前記液体となった冷媒は、冷媒還り配管７を通って前記ヒートポンプ室外機１に戻り、以下同様の動作を繰返して温水を生成して、床パネル１９を加温し、床放射により室内１８を暖房する。
【００２５】
そして、本発明システムを構成する他方のヒートポンプ室外機２に上流側を連結した冷媒往き配管２０の下流側が、床パネル１９の下面の床下パネル２１上に設置された床下取付け型空調室内機２２に連結されると共に、前記床下取付け型空調室内機２２に上流側を連結した冷媒還り配管２３の下流側が前記ヒートポンプ室外機２に連結されて、前記床下取付け型空調室内機２２により床パネル１９と床下パネル２１間の空間部２４に冷（温）風を送風できるよう形成され、更に、前記他方のヒートポンプ室外機２に上流側を連結した前記冷媒往き配管２０の下流側が、床パネル１９上に設置された床置き型空調室内機２５の分岐冷媒往き配管２６に連結され、且つ該分岐冷媒往き配管２６の下流側を床置き型空調室内機２５に連結すると共に、前記床置き型空調室内機２５に上流側を連結した分岐冷媒還り配管２７の下流側を前記冷媒還り配管２３に連結して、前記床下取付け型空調室内機２２と並列に床置き型空調室内機２５が設置され、該床置き型空調室内機２５からの冷（温）風を床パネル１９を貫通して設けられた送風パイプ２８から床下に送風できるよう形成して、前記床下取付け型空調室内機２２および床置き型空調室内機２５からの冷（温）風を、床パネル１９と床下パネル２１間の空間部２５に送風して、該冷温風を前記床パネル１９に開口された吹き出し口２９より室内１８に送風して、該室内１８を送風により冷暖房する送風冷暖房装置Ｂが形成されている。なお、図においては、床下取付け型空調室内機２２および床置き型空調室内機２５は、それぞれ1台ずつ設置されているが、複数台を設置することもできる。
【００２６】
前記他方のヒートポンプ室外機２と床下取付け型空調室内機２２および床置き型空調室内機２５を用いて床パネル１９と床下パネル２１間の空間部２４に冷風を送風する場合は、前記他方のヒートポンプ室外機２のコンプレッサー（図示せず）で冷媒を圧縮して温度を上げることにより、該他方のヒートポンプ室外機２のファン（図示せず）が前記冷媒によって熱くなった空気を外へ逃がして、前記他方のヒートポンプ室外機２で冷媒を膨張させて、周囲の熱を奪い冷媒を冷却する作用をするので、冷気が他方のヒートポンプ室外機２の冷媒の中へ入り込んで、該冷媒を冷却し、然る後、前記冷却した冷媒を前記床下取付け型空調室内機２２および床置き型空調室内機２５で蒸発することにより、前記冷媒は低温となり、その冷気を該床下取付け型空調室内機２２および床置き型空調室内機２５に備えられたファン（図示せず）を介して前記空間部２４に送風して、前記床パネル１９を下面より冷却する冷房と、前記冷温水供給管１２による床放射冷房とにより、室内１８を冷却すると共に、該床パネル１９に開口された吹き出し口２９より室内１８に冷風を送風して冷房する。
【００２７】
次に、前記他方のヒートポンプ室外機２と床下取付け型空調室内機２２および床置き型空調室内機２５を用いて床パネル１９と床下パネル２１間の空間部２４に温風を送風する場合は、前記他方のヒートポンプ室外機２のコンプレッサー（図示せず）で冷媒を膨張させて温度を下げることにより、周囲の熱は該他方のヒートポンプ室外機２の中の冷媒を暖める作用をするので、熱が他方のヒートポンプ室外機２の冷媒の中へ入り込んで、該冷媒を暖め、然る後、前記暖まった冷媒を前記床下取付け型空調室内機２２および床置き型空調室内機２５で凝縮することにより、前記冷媒は高温となり、その熱を該床下取付け型空調室内機２２および床置き型空調室内機２５に備えられたファン（図示せず）を介して前記空間部２４に送風して、前記床パネル１９を下面より暖める暖房と、前記冷温水供給管１２による床放射暖房とにより、室内１８を暖めると共に、該床パネル１９に開口された吹き出し口２９より室内１８に温風を送風して、該室内１８を暖房する。
【００２８】
なお、本発明冷暖房システムにつきテストした結果、床パネル１９への送水温度は、冷房時は、１５℃と一般的な空調送水温度７℃に比べ高く、また、暖房時は、２８℃と一般の空調送風温度４０℃と比べ低いため、一方のヒートポンプ屋外機１の熱製造効率が向上した。
【００２９】
そして、一般に、夏季に床パネルを冷却する床放射冷房システムは、高温多湿の屋外環境が室内に入りこむことで、床表面および床下に結露が発生するため、放射冷房ができない時間帯が多く発生し、放射空調の利用時間が短くなってしまい、床放射冷房の効率が悪いという問題点がある。
【００３０】
前記のように、如何なる場合でも床パネルや床下等に結露が発生すると、床放射冷房システムは冷房機能を充分発揮することができないので、本発明者は、床放射冷房システムにおいては、結露対策が極めて重要であると考え、図３に示す結露防止システムを本発明冷暖房システムに設置した。すなわち、図３に示すように、床温度制御システム３０、水温制御システム３１および露点制御システム３２の３つの制御システムより成る結露防止システムを、前記一方のヒートポンプ室外機１、熱交換機４および冷温水配管１２より成る床放射冷暖房装置Ａに設置した。以下、更に詳細に説明する。
【００３１】
すなわち、前記往きヘッダー１１の下流側である往き送水管１０には、該往き送水管１０を流れる水温を測定する水温センサー３３が設置されると共に、前記床パネル１９には、該床パネル１９の露点温度を検出する露点センサー３４が設置され、更に前記床パネル１９にはその床温度を検出する床温度センサー３５が設置されている。そして、前記水温センサー３３に接続する水温調節計３６、露点センサー３４に接続する露点調節計３７および床温度センサー３５に接続する床温度調節計３８が、前記一方のヒートポンプ室外機１の作動を制御する制御基板３９にそれぞれ接続されると共に、該制御基板３９はリモートコントロール４０に有線または無線により接続され、該リモートコントロール４０により、本発明冷暖房システムのＯＮ・ＯＦＦ、冷暖房の切替え、床温度の調整ができるよう構成されている。なお、前記露点センサー３４は、特に限定する必要はなく、床パネル１９の表面、または該床パネル１９の下面にも設置できるが、好ましくは前記床パネル１９の３０ｃｍ程度の高さ位置に設置することが推奨される。
【００３２】
前記床温度制御システム３０は、床温度センサー３５で床パネル１９の床面温度を検知して、床温度調節計３８で制御基板３９に増巾リレー出力し、リモートコントロール４０によりヒートポンプ室外機１の冷暖房運転をＯＮ・ＯＦＦ制御すると共に、前記床パネル１９の温度を設定制御する。なお、前記床パネル１９の設定温度は、特に限定する必要はないが、好ましくは標準で２１℃に設定することが推奨される。
【００３３】
また、前記水温制御システム３１は、冷媒の潜熱と熱交換した冷水、温水の温度を設定した温度になるように制御するものであって、前記往き送水管１０に設置された水温センサー３３で、該往き送水管１０を流れる水の温度を検知し、水温調節計３６で前記制御基板３９に増幅リレー出力し、前記水温調節計３６で設定された温度に前記往き送水管１０を流れる水の温度を制御するものである。
【００３４】
更に、露点制御システム３２は、床冷房時のみ制御するが、床パネル１９の表面温度は２１℃（老人施設では２４℃の場合もある）に設定するのが好ましい。そして、前記床パネル１９の表面温度を２１℃にした場合、室内１８の露点温度を２０℃に設定して、該室内１８の露点温度が前記設定された２０℃を越えた場合、露点センサー３４がこれを検知すると、露点調節計３７で前記制御基板３９に増巾リレー出力して、前記一方のヒートポンプ室外機１の運転を停止し、前記露点温度以下になると運転を再開するよう形成されている。
【００３５】
そして、前記床温度制御システム３０、水温制御システム３１および露点制御システム３３の３つの制御システムより成る結露防止システムによる制御と、前記床下取付け型空調室内機２２におよび床置き型空調室内機２５より除湿された空気の床下への送風とにより、前記床パネル１９表面および床下部分の結露を防止することができる。
【実施例２】
【００３６】
図４は、本発明の実施例２に係る冷暖房システムの概略説明図である。本発明の実施例２に係る冷暖房システムは、前記実施例１の冷暖房システムを構成する床放射冷暖房装置Ａはそのまま使用するが、送風冷暖房装置Ｂのうち、送風冷暖房装置Ｂにおける他方のヒートポンプ室外機２の冷媒往き配管２０に、床下取付け型空調室内機２２のみを接続して、前記床下取付け型空調室内機２２からの冷（温）風を床下に送風して、前記床パネル１９を床下から冷却（加温）すると共に、吹き出し口２９から室内１８へ冷（温）風を噴き出すようにしたものである。以下、詳細に説明する。
【００３７】
すなわち、実施例２の冷暖房システムにおいては、他方のヒートポンプ室外機２に上流側を連結した冷媒往き配管２０の下流側が、前記床下取付け型空調室内機２２に連結されると共に、該床下取付け型空調室内機２２に上流側を連結した冷媒還り配管２３の下流側が前記ヒートポンプ室外機２に連結されて形成されている。なお、図においては、床下取付け型空調室内機２２は、1台設置されているが、複数台を設置することもできる。
【００３８】
そして、前記床下パネル２１上に設置された床下取付け型空調室内機２２で生成された冷（温）風を床下に送風して、前記床パネル１９を床下より冷却（加温）して、前記床放射冷暖房装置Ａによる床放射による床冷暖房の効率を高めると共に、吹き出し口２９から室内１８へ冷（温）風を吹き出して、冷暖房の効率を高めることができる。
【００３９】
また、前記床温度制御システム３０、水温制御システム３１および露点制御システム３２の３つの制御システムより成る結露防止システムによる制御と、前記床下取付け型空調室内機２２より除湿された空気の床下への送風とにより、前記床パネル１９表面および床下部分の結露を防止することができる。
【実施例３】
【００４０】
図５は、本発明の実施例３に係る冷暖房システムの概略説明図である。本発明の実施例３に係る冷暖房システムは、前記実施例１の冷暖房システムを構成する床放射冷暖房装置Ａはそのまま使用するが、送風冷暖房装置Ｂのうち、送風冷暖房装置Ｂにおける他方のヒートポンプ室外機２の冷媒往き配管２０に、床置き型空調室内機２５のみを接続して、前記床置き型空調室内機２５からの冷（温）風を床パネル１９を貫通して設けられた送風パイプ２８から床下に送風して、前記床パネル１９の床放射および吹き出し口２９から室内１８へ冷（温）風を噴き出すようにしたものである。以下、詳細に説明する。
【００４１】
すなわち、実施例３の冷暖房システムにおいては、他方のヒートポンプ室外機２に上流側を連結した冷媒往き配管２０の下流側が、前記床置き型空調室内機２５に連結されると共に、該床置き型空調室内機２５に上流側を連結した冷媒還り配管２３の下流側が前記ヒートポンプ室外機２に連結されて形成されている。なお、図においては、床置き型空調室内機２５は、1台設置されているが、複数台を設置することもできる。
【００４２】
そして、前記床パネル１９上に設置された床置き型空調室内２５で生成された冷（温）風は、前記床パネル１９を貫通して設けられた送風パイプ２８から床下に送風して、前記床パネル１９を床下より冷却（加温）して、前記床放射冷暖房装置Ａによる床放射による床冷暖房の効率を高めると共に、吹き出し口２９から室内１８へ冷（温）風を吹き出して、冷暖房の効率を高めることができる。
【００４３】
また、前記床温度制御システム３０、水温制御システム３１および露点制御システム３２の３つの制御システムより成る結露防止システムによる制御と、前記床置き型空調室内機２５より除湿された空気の床下への送風とにより、前記床パネル１９表面および床下部分の結露を防止することができる。
【符号の説明】
【００４４】
Ａ  床放射冷暖房装置
Ｂ  送風冷暖房装置
１  一方のヒートポンプ室外機
２  他方のヒートポンプ室外機
３  冷媒往き配管
４  熱交換機
５  冷媒流入口
６  冷媒還流口
７  冷媒還り配管
８  電子膨張弁
９  注入口
１０  往き送水管
１１  往きヘッダー
１２  冷温水供給管
１３  膨張タンク
１４  循環ポンプ
１５  還りヘッダー
１６  還り送水管
１７  送水口
１８  室内
１９  床パネル
２０  冷媒往き配管
２１  床下パネル
２２  床下取付け型空調室内機
２３  冷媒還り配管
２４  空間部
２５  床置き型空調室内機
２６  分岐冷媒往き配管
２７  分岐冷媒還り配管
２８  送風パイプ
２９  吹き出し口
３０  床温度制御システム
３１  水温制御システム
３２  露点制御システム
３３  水温センサー
３４  露点センサー
３５  床温度センサー
３６  水温調節計
３７  露点調節計
３８  床温度調節計
３９  制御基板
４０  リモートコントロール
【図１】
2013139949.tif 000003
【図２】
2013139949.tif 000004
【図３】
2013139949.tif 000005
【図４】
2013139949.tif 000006
【図５】
2013139949.tif 000007